(57)【要約】      （修正有）【課題】送風装置において、静圧を維持しつつ騒音を低減し、さらに径方向に小型化する。【解決手段】インペラの外周および外縁部の上方を覆う内周面を有し、中央に吸気口１１３を有する上カバーと、モータ部の外周を覆い、前記モータ部との間に筒状空間７１を構成する本体カバーと、を備える。前記筒状空間は、前記インペラの外縁部１５４の下端部の下方に位置する第１筒状空間７１１と、前記第１筒状空間の下方に位置し、周方向に配列された複数の気体流路７１３を有する第２筒状空間と、を含む。前記複数の気体流路の流路入口は、前記吸気口の内径下方端部と前記インペラの外周下端部とを結ぶ仮想延長線７２よりも下方に位置する。【選択図】図７
2015034514.tif 000002
【特許請求の範囲】
【請求項１】
中心軸が上下方向を向くモータ部と、
前記モータ部の上方に位置し、前記モータ部の回転部に接続され、回転することにより、上方から吸気し、径方向外方、または、径方向外方かつ下方に向かって気体を送出するインペラと、
前記インペラの外周および外縁部の上方を覆う内周面を有し、中央に吸気口を有する上カバーと、
前記モータ部の外周を覆い、前記モータ部との間に筒状空間を構成する本体カバーと、
を備え、
前記筒状空間は、
前記インペラの外縁部の下端部の下方に位置する第１筒状空間と、
前記第１筒状空間の下方に位置し、周方向に配列された複数の気体流路を有する第２筒状空間と、
を含み、
前記複数の気体流路の流路入口は、前記吸気口の内径下方端部と前記インペラの外周下端部とを結ぶ仮想延長線よりも下方に位置する、送風装置。
【請求項２】
前記インペラの外径は前記筒状空間の外径よりも小さい、請求項１に記載の送風装置。
【請求項３】
中心軸が上下方向を向くモータ部と、
前記モータ部の上方に位置し、前記モータ部の回転部に接続され、回転することにより、上方から吸気し、径方向外方、または、径方向外方かつ下方に向かって気体を送出するインペラと、
前記インペラの外周および外縁部の上方を覆い、中央に吸気口を有する上カバーと、
前記モータ部の外周を覆う本体カバーと、
軸方向において前記インペラと前記モータ部との間に位置し、前記中心軸を囲む環状部を含む中間部材と、
を備え、
前記環状部は前記インペラの前記外縁部または前記外周の下方に位置し、下方向に向かって窪むとともに周方向に延びるガイド溝を有し、
前記環状部は前記ガイド溝内に前記インペラからの気体を、前記モータ部と前記本体カバーとの間の筒状空間へと導く複数の送気孔を有する、送風装置。
【請求項４】
前記複数の送気孔は、下方に向かって前記インペラの回転方向へと傾斜する、請求項３に記載の送風装置。
【請求項５】
前記ガイド溝は前記環状部の全周に亘って存在し、前記インペラの前記外縁部の下端は、前記ガイド溝内に位置する、請求項３または４に記載の送風装置。
【請求項６】
前記モータ部と前記本体カバーとの間の空間に位置し、周方向に配列された複数の気体流路をさらに備える、請求項３ないし５のいずれかに記載の送風装置。
【請求項７】
前記複数の気体流路が周方向に傾斜し、前記気体流路の流路入口に対して、流路出口が前記インペラの回転方向前方に位置する、請求項１、２および６のいずれかに記載の送風装置。
【請求項８】
前記モータ部の下方に位置し、前記中心軸に垂直かつ環状の下環状部、
をさらに備え、
前記モータ部と前記下環状部との間の空間に、前記複数の気体流路の下端から径方向内方へと延びる複数の下気体流路が設けられる、請求項１、２、６および７のいずれかに記載の送風装置。
【請求項９】
前記複数の下気体流路の天面が、前記モータ部の回路基板の下面である、請求項８に記載の送風装置。
【請求項１０】
前記下環状部の下方に位置し、前記回転部に接続される他のインペラ、をさらに備える請求項８または９に記載の送風装置。
【請求項１１】
前記モータ部と前記本体カバーとの間の前記筒状空間を形成する内側の側面が、前記モータ部の金属カバーの外周面または前記モータ部の外周を保持する金属保持部の外周面である、請求項１ないし１０のいずれかに記載の送風装置。
【請求項１２】
請求項１ないし１１のいずれかに記載の送風装置と、
前記上カバーの前記吸気口に流路が繋がる吸引管と、
を備える、掃除機。
【発明の詳細な説明】
【技術分野】
【０００１】
本発明は、電動式の送風装置に関連する。送風装置は、例えば、掃除機に搭載される。
【背景技術】
【０００２】
掃除機に搭載される送風装置には静圧が求められる。このような送風装置として、例えば、特開２０１０−２８１２３２号公報および特開２０１１−８０４２７号公報に開示されたものがある。これらの送風装置では、インペラの側方から下方へとエアの流れをガイドするエアガイドが設けられる。エアは、インペラの中央から吸引され、インペラの側方へと送出される。エアは、エアガイドを介して下方に位置するモータの周囲へと導かれる。
【特許文献１】特開２０１０−２８１２３２号公報
【特許文献２】特開２０１１−８０４２７号公報
【発明の概要】
【発明が解決しようとする課題】
【０００３】
ところで、インペラの側方にエアガイドを設けると、インペラが高速で回転する場合にインペラとエアガイドとの間で騒音が生じる。騒音の低減は、送風装置が掃除機等の民生品に用いられる場合に特に重要となる。一方、機器内の送風装置の位置や周囲の構造によっては、径方向への送風装置の小型化が求められる場合がある。しかし、エアガイドがインペラの側方に位置すると、送風装置の小型化が困難となる。
【０００４】
本発明は、送風装置において、静圧を維持しつつ騒音を低減し、さらに径方向に小型化することを目的としている。
【課題を解決するための手段】
【０００５】
本発明の例示的な一の実施形態に係る送風装置は、中心軸が上下方向を向くモータ部と、前記モータ部の上方に位置し、前記モータ部の回転部に接続され、回転することにより、上方から吸気し、径方向外方、または、径方向外方かつ下方に向かって気体を送出するインペラと、前記インペラの外周および外縁部の上方を覆う内周面を有し、中央に吸気口を有する上カバーと、前記モータ部の外周を覆い、前記モータ部との間に筒状空間を構成する本体カバーと、を備える。前記筒状空間は、前記インペラの外縁部の下端部の下方に位置する第１筒状空間と、前記第１筒状空間の下方に位置し、周方向に配列された複数の気体流路を有する第２筒状空間と、を含む。前記複数の気体流路の流路入口は、前記吸気口の内径下方端部と前記インペラの外周下端部とを結ぶ仮想延長線よりも下方に位置する。
【０００６】
本発明の例示的な他の実施形態に係る送風装置は、中心軸が上下方向を向くモータ部と、前記モータ部の上方に位置し、前記モータ部の回転部に接続され、回転することにより、上方から吸気し、径方向外方、または、径方向外方かつ下方に向かって気体を送出するインペラと、前記インペラの外周および外縁部の上方を覆い、中央に吸気口を有する上カバーと、前記モータ部の外周を覆う本体カバーと、軸方向において前記インペラと前記モータ部との間に位置し、前記中心軸を囲む環状部を含む中間部材と、を備える。前記環状部は前記インペラの前記外縁部または前記外周の下方に位置し、下方向に向かって窪むとともに周方向に延びるガイド溝を有し、前記環状部は前記ガイド溝内に前記インペラからの気体を、前記モータ部と前記本体カバーとの間の筒状空間へと導く複数の送気孔を有する。
【０００７】
本発明は、送風装置を備える掃除機にも向けられている。
【発明の効果】
【０００８】
本発明によれば、送風装置の静圧を維持しつつ騒音を低減し、さらに径方向に小型化することができる。
【図面の簡単な説明】
【０００９】
【図１】図１は、掃除機を示す図である。
【図２】図２は、送風装置の斜視図である。
【図３】図３は、送風装置の縦断面図である。
【図４．Ａ】図４．Ａは、上インペラを斜め上から見た斜視図である。
【図４．Ｂ】図４．Ｂは、上インペラを斜め下から見た斜視図である。
【図５．Ａ】図５．Ａは、本体カバーを斜め上から見た斜視図である。
【図５．Ｂ】図５．Ｂは、本体カバーを斜め下から見た斜視図である。
【図６．Ａ】図６．Ａは、ディフューザを斜め上から見た斜視図である。
【図６．Ｂ】図６．Ｂは、ディフューザを斜め下から見た斜視図である。
【図７】図７は、エア流路の流路入口の軸方向の位置を説明するための図である。
【図８】図８は、他の送風装置の正面図である。
【図９】図９は、他の送風装置の縦断面図である。
【図１０．Ａ】図１０．Ａは、中間部材を斜め上から見た斜視図である。
【図１０．Ｂ】図１０．Ｂは、中間部材の平面図である。
【図１１】図１１は、送気孔の縦断面図である。
【発明を実施するための形態】
【００１０】
本明細書では、送風装置のモータ部の図３中の中心軸Ｊ１方向における上側を単に「上側」と呼び、下側を単に「下側」と呼ぶ。なお、上下方向は、説明の便宜上定めるものであり、重力方向に一致する必要はない。また、中心軸Ｊ１に平行な方向または略平行な方向を「軸方向」と呼び、中心軸Ｊ１を中心とする径方向を単に「径方向」と呼び、中心軸Ｊ１を中心とする周方向を単に「周方向」と呼ぶ。
【００１１】
図１は、本発明の例示的な一の実施形態に係る送風装置１を含む掃除機８を示す図である。掃除機８の外観を二点鎖線にて示す。
【００１２】
掃除機８は、吸引管８１と、本体８２と、を含む。本体８２は、送風装置１を含む。吸引管８１の先端には、図示省略の吸引ブラシが取り付けられる。本体８２内には、集塵室８２１と、排気空間８２２とが設けられる。集塵室８２１は、吸引管８１に繋がる。送風装置１は、集塵室８２１および排気空間８２２に繋がる。
【００１３】
図２は、送風装置１の斜視図である。送風装置１は、略円柱形状である。送風装置１は、吸気口１１３と、複数の排気口１４２と、を含む。吸気口１１３は、上部中央に位置する。吸引管８１の流路は、集塵室８２１を介して吸気口５４に繋がる。排気口１４２は、外周面の下部に周方向に配列される。排気口１４２からの排気は、排気空間８２２から本体８２の外部へと排出される。
【００１４】
図３は、送風装置１の縦断面図である。断面の細部については平行斜線を省略している。以下の図においても同様である。送風装置１は、上カバー１１と、本体カバー１２と、ディフューザ１３と、下カバー１４と、を含む。送風装置１では、これらの構成要素により内部空間が構成される。送風装置１は、内部空間に、上インペラ１５ａと、モータ部１６と、下インペラ１５ｂと、をさらに含む。
【００１５】
上カバー１１は、上インペラ１５ａの外周を覆う外周部１１１と、上インペラ１５ａの外縁部の上方を覆う上部１１２と、を含む。上カバー１１は、上部１１２の中央に吸気口１１３を含む。上部１１２は、径方向内方に向かって上方へと向かうように傾斜する。外周部１１１は、上部１１２の外周部から下方に延びる。上部１１２と外周部１１１とは滑らかな曲面で繋がる。上カバー１１の内周面は、上インペラ１５ａの外周および外縁部の上方を覆う。
【００１６】
上インペラ１５ａは、モータ部１６の上方に位置する。上インペラ１５ａはモータ部１６の回転部に接続され、中心軸Ｊ１を中心として回転する。上インペラ１５ａが回転することにより、吸気口１１３を介して上方から吸気が行われる。エアは上インペラ１５ａにより径方向外方に向かって送出される。上インペラ１５ａは斜流ファンのように、径方向外方かつ下方に向かってエアを送出してもよい。上インペラ１５ａの外周および上方は上カバー１１に覆われるため、エアは上カバー１１の内周を下方に向かって流れる。特に、上カバー１１の上部１１２および外周部１１１とは滑らかに繋がるため、エアは効率よく下方へと導かれる。
【００１７】
図４．Ａは上インペラ１５ａを斜め上から見た斜視図である。図４．Ｂは上インペラ１５ａを斜め下から見た斜視図である。上インペラ１５ａは、ベース部１５１と、複数の翼１５２と、翼連結部１５３と、を含む。ベース部１５１は、中心軸Ｊ１に垂直な円板である。複数の翼１５２は、ベース部１５１の上面に配置される。複数の翼１５２は、周方向に配列される。
【００１８】
各翼１５２は、ベース部１５１の上面から上方に突出し、ベース部１５１の中心から径方向外方に向かって延びる。各翼１５２の上エッジは、径方向外方に向かうに従って下方へ向かう。各翼１５２は、ベース部１５１の径方向外方まで延びる。各翼１５２のベース部１５１よりも外側の外縁部１５４は、ベース部１５１よりも下方に延びる。翼連結部１５３は、外縁部１５４の上端を周方向に連結する。
【００１９】
モータ部１６は、回転部３１と、静止部３２と、一対の軸受３３と、を含む。回転部３１は、シャフト３１１と、マグネット支持部３１２と、ロータマグネット３１３と、を含む。シャフト３１１は、中心軸Ｊ１を中心として配置される。シャフト３１１の上端は、上インペラ１５ａのベース部１５１の中央に接続される。ロータマグネット３１３は、マグネット支持部３１２を介してシャフト３１１に間接的に固定される。ロータマグネット３１３は、周方向に複数の磁極を有する。
【００２０】
静止部３２は、モータカバー３２１と、ステータ３２２と、一対の軸受保持部３２３と、回路基板３２４と、を含む。モータカバー３２１は略円筒状である。モータカバー３２１の外周面は、モータ部１６の外周面である。ステータ３２２は、モータカバー３２１の内周面に固定される。ステータ３２２では、ティースの先端は径方向内方を向き、ロータマグネット３１３と対向する。軸受保持部３２３は、モータカバー３２１の上部および下部に位置する。軸受保持部３２３には軸受３３が保持される。シャフト３１１は軸受３３を介して静止部３２により中心軸Ｊ１を中心として回転可能に支持される。回路基板３２４は、ステータ３２２の下方に位置する。回路基板３２４は環状または略円弧状かつ中心軸Ｊ１に垂直な板状である。回路基板３２４は、下側の軸受保持部３２３の径方向外側に位置する。
【００２１】
本体カバー１２は、略円筒状である。本体カバー１２は、モータ部１６の外周を覆う。本体カバー１２の上端は、上カバー１１の下端に接続される。本体カバー１２の上端は、上インペラ１５ａのベース部１５１と径方向に対向する。モータ部１６と本体カバー１２との間には、筒状空間７１が構成される。翼１５２の外縁部１５４の下部は、筒状空間７１内に位置する。送風装置１では筒状空間７１は円筒状であるが、円筒状には限定されず、軸方向に関して直径は一定でなくてもよい。ただし、送風装置１では、小型化および省電力を実現するために、上インペラ１５ａの外径を筒状空間７１の外径よりも小さくしている。なお、本体カバー１２と上カバー１１は一体の部材でもよい。
【００２２】
送風装置１では、筒状空間７１を形成する内側の側面は、モータ部１６のモータカバー３２１の外周面である。モータカバー３２１は金属カバーである。これにより、筒状空間７１を流れるエアにより、モータ部１６が効率よく冷却される。筒状空間７１を形成する内側の側面は、モータ部１６の外周を保持する金属保持部の外周面であってもよい。
【００２３】
図５．Ａは本体カバー１２を斜め上から見た斜視図である。図５．Ｂは本体カバー１２を斜め下から見た斜視図である。本体カバー１２は、円筒部１２１と、複数のガイド翼１２２と、を含む。円筒部１２１は、中心軸Ｊ１を中心とする略円筒状である。円筒部１２１は、モータ部１６の径方向外側に位置する。ガイド翼１２２は、円筒部１２１の内周面に位置する。ガイド翼１２２の上端は、モータカバー３２１を介してステータ３２２と径方向に対向している。複数のガイド翼１２２は、周方向に等間隔に配置される。各ガイド翼１２２は、円筒部１２１の内周面から径方向内方に向かって突出する板状である。なお、ガイド翼１２２の厚さは一定でなくてもよい。各ガイド翼１２２は、下方へと延びるが、下方に向かって上インペラ１５ａの回転方向へと傾斜する。各ガイド翼１２２は、円筒部１２１の上端から下方に離れた位置から下方へと延びる。
【００２４】
モータ部１６が本体カバー１２内に配置されると、互いに隣接する一組のガイド翼１２２と、モータ部１６の外周面と、円筒部１２１の内周面とにより、エアを下方へとガイドするエア流路７１３が構成される。すなわち、筒状空間７１は、エア流路７１３の上方に位置する第１筒状空間７１１と、第１筒状空間７１１の下方に位置し、複数のエア流路７１３を含む第２筒状空間７１２と、を含む。第１筒状空間７１１は、上インペラ１５ａの外縁部１５４の下端部の下方に位置する。
【００２５】
複数のエア流路７１３は、周方向に配列される。ガイド翼１２２の傾斜により、エア流路７１３も周方向に傾斜する。エア流路７１３の流路入口７１４に対して、流路出口７１５は上インペラ１５ａの回転方向前側に位置する。エア流路７１３を設けることにより、上インペラ１５ａから筒状空間７１に流入するエアの逆流が防止され、送風装置１の静圧を向上することができる。また、エア流路７１３が傾斜することにより、さらに静圧を向上することができる。
【００２６】
ディフューザ１３は、本体カバー１２の下端に取り付けられる。ディフューザ１３の上端は、モータカバー３２１下端と径方向に対向する。図６．Ａはディフューザ１３を斜め上から見た斜視図である。図６．Ｂはディフューザ１３を斜め下から見た斜視図である。ディフューザ１３は、下環状部１３１と、複数のガイド翼１３２と、外周部１３３と、を含む。下環状部１３１は、中心軸Ｊ１に垂直な環状であり、モータ部１６の下方に位置する。下環状部１３１の上面は中心軸Ｊ１に垂直であり、下面は径方向内方に向かって上方へと傾斜する。複数のガイド翼１２２は、下環状部１３１の上面に配置される。複数のガイド翼１３２は、周方向に配列される。ディフューザ１３の外周部１３３の下部は、排気口１４２の一部を構成する。
【００２７】
各ガイド翼１３２は、下環状部１３１の上面から上方に突出する板状であり、下環状部１３１の中心から径方向外方に向かって延びる。各ガイド翼１３２の上エッジは、中心軸Ｊ１に垂直である。モータ部１６の回路基板５３は、ガイド翼１３２の上端に近接または接する。これにより、モータ部１６と下環状部１３１との間の空間に、複数の下エア流路７３が設けられる。各下エア流路７３は、回路基板３２４、下環状部１３１および互いに隣接する一対のガイド翼１３２により構成される。ガイド翼１３２の厚さは一定であっても一定でなくもよい。各ガイド翼１３２は直線状でも曲線状でもよい。
【００２８】
ガイド翼１３２の数は本体カバー１２のガイド翼１２２の数と同じである。各ガイド翼１３２の径方向外側の端部は、本体カバー１２のガイド翼１２２の下端の下方に位置する。本体カバー１２のガイド翼１２２の下端はディフューザ１３のガイド翼１３２の外端の径方向外側に位置してもよい。ガイド翼１２２とガイド翼１３２とが繋がるように配置されることにより、複数の下エア流路７３は、複数のエア流路７１３の下端から径方向内方へと延びる。これにより、モータ部１６と下環状部１３１との間においてもエアの流れが整えられ、送風装置１の静圧が向上する。また、複数の下エア流路７３の天面が、回路基板３２４の下面であるため、回路基板３２４は効率よく冷却される。
【００２９】
下インペラ１５ｂは、上インペラ１５ａと同様の構造を有する。以下の説明では、下インペラ１５ｂの構成要素に上インペラ１５ａと同符号を付す。下インペラ１５ｂは、下環状部１３１の下方に位置し、シャフト３１１に接続される。下インペラ１５ｂは、ディフューザ１３の中央の開口から吸気し、径方向外方へとエアを送出する。既述のように、ディフューザ１３の下面は、上方に向かって窪む。下環状部１３１の下面および外周部１３３の内周面により、上カバー１１の内周面と同様の面が構成される。すなわち、下インペラ１５ｂの上方の天面は径方向外方に向かって下方へと傾斜し、天面の外周から円筒面が下方へと延びる。天面と円筒面とは滑らかに繋がる。下インペラ１５ｂにより、送風装置１の静圧がさらに高められる。
【００３０】
下カバー１４は、ディフューザ１３の下方を塞ぐ。下カバー１４は、中心軸Ｊ１を中心とする環状溝１４１を含む。環状溝１４１は下方へと窪む。下インペラ１５ｂの翼１５２の外縁部１５４の下部は、環状溝１４１内に位置する。下カバー１４は、ディフューザ１３と共に、外周に、径方向外方に向かって開口する複数の排気口１４２を構成する。各排気口１４２は、環状溝１４１に繋がる。エアは、下インペラ１５ｂからおよそ直接的に、または、環状溝１４１内を流れた後、外部へと排出される。図２に示すように、排気口１４２の開口内面は、エアの旋回方向に沿って径方向外方に対して傾斜する。
【００３１】
図７は、エア流路７１３の流路入口７１４の軸方向の位置を説明するための図である。送風装置１では、径方向の大きさを小さくするため、流路入口７１４は上インペラ１５ａの径方向外側には配置されない。そのため、流路入口７１４は翼１５２の外縁部１５４の下方に配置される。しかし、流路入口７１４が外縁部１５４に近づけられると、上インペラ１５ａによる気流の乱れによる振動成分を含むエアが流路入口７１４に強く衝突し、騒音が大きくなる。そこで、既述のように、送風装置１では、エア流路７１３の上方に第１筒状空間７１１を設けている。
【００３２】
第１筒状空間７１１を形成する外側の壁、すなわち、本体カバー１２の内周面は、エアが衝突することにより、エアの勢いを低減し、かつ、エアの振動成分を減衰させる役割を果たす。このような観点から、吸気口１１３から筒状空間７１へと真っ直ぐに流れる仮想的なエアの流れよりも流路入口７１４は下方に位置することが望ましい。したがって、流路入口７１４は、吸気口１１３の内径下方端部と上インペラ１５ａの外周下端部とを結ぶ仮想的な直線およびその延長線である仮想延長線７２よりも下方に配置される。これにより、効果的に騒音を低減することができる。
【００３３】
図８は、本発明の例示的な他の実施形態に係る送風装置１ａの正面図である。図９は、送風装置１ａの縦断面図である。送風装置１ａでは、下部の外周面に２つの排気口１４２が設けられる。送風装置１ａは、送風装置１と比較して、軸方向において上インペラ１５ａとモータ部１６との間に、中間部材１７をさらに含む。上側の軸受保持部３２３は中間部材１７に固定される。他の構造は、形状の相違を除いて送風装置１と同様であり、送風装置１における説明がそのまま適用される。以下、送風装置１と同様の構成要素に同符号を付す。
【００３４】
図１０．Ａは中間部材１７を斜め上から見た斜視図である。図１０．Ｂは中間部材１７の平面図である。中間部材１７は、中心軸Ｊ１を囲む環状部１７１を含む。中間部材１７の外縁部の上端は、上カバー１１の下端に接続される。中間部材１７の外縁部の下端は、本体カバー１２の上端に接続される。環状部１７１の内側の部位である中央部１７２は、略板状である。中央部１７２の下面には軸受保持部３２３が取り付けられる凹部が設けられる。中央部１７２の中央にはシャフト３１１が挿入される貫通孔１７３が設けられる。
【００３５】
環状部１７１は、上インペラ１５ａの外縁部１５４の下方に位置する。環状部１７１には、下方に向かって窪むガイド溝１７４が設けられる。ガイド溝１７４は周方向に延び、環状部１７１の全周に亘って存在する。上インペラ１５ａの外縁部１５４の下端は、ガイド溝１７４内に位置する。環状部１７１は、ガイド溝１７４内に、中間部材１７を上下に貫通する２つの送気孔１７５を有する。なお、図１０．Ａでは送気孔１７５が見えない方向から中間部材１７を見ている。ガイド溝１７４の断面は、Ｕ字状でもＶ字状でもよく、四角でもよい。
【００３６】
図１１は、中心軸Ｊ１を中心とする円筒面による送気孔１７５の縦断面図である。送気孔１７５は、下方に向かって上インペラ１５ａの回転方向へと傾斜する。送気孔１７５は、上インペラ１５ａからのエアを、モータ部１６と本体カバー１２との間の筒状空間７１へと導く。これにより、上インペラ１５ａからのエアが直接的にエア流路７１３へと入り込むことが防止され、騒音が低減される。ガイド溝１７４は、上インペラ１５ａからのエアに流れを整え、効率よく送気孔１７５へと導く。送気孔１７５による整流作用によっても、送風装置１ａの静圧は向上する。
【００３７】
図３の送風装置１と同様に、送気孔１７５が上インペラ１５ａの下方に位置するため、径方向における送風装置１ａの小型化が実現される。また、送気孔１７５が傾斜することにより、送風装置１ａの静圧をより向上することができる。なお、送風装置１ａでは、エア流路７１３が設けられない場合においても、中間部材１７による騒音の低減が実現される。送気孔１７５の数は２より多くてもよい。
【００３８】
環状部１７１のガイド溝１７４は全周に設けられなくてもよい。この場合、翼１５２の外縁部１５４の下端は、ガイド溝１７４内には位置しない。そのため、ガイド溝１７４の上方に、径方向における外縁部１５４の一部のみが位置してもよい。好ましくは、上インペラ１５ａの外周の下方にガイド溝１７４が位置する。送気孔１７５は、ガイド溝１７４内に位置する。
【００３９】
送風装置１，１ａは様々な変形が可能である。
【００４０】
例えば、上インペラ１５ａおよび下インペラ１５ｂの形状は適宜変更されてよい。翼１５２の外縁部１５４は下方に突出しなくてもよい。上インペラ１５ａおよび下インペラ１５ｂの形状は同じである必要はない。送風装置１，１ａでは、下インペラ１５ｂ、または、下インペラ17およびディフューザ１３を省き、上インペラ１５ａのみが設けられてもよい。
【００４１】
モータ部１６はアウタロータ型でもよい。ただし、モータ部１６の冷却効率を考慮した場合、モータ部１６はロータマグネット３１３がステータ２１０の内側に位置するインナロータ型であることが好ましい。
【００４２】
ガイド翼１２２は、モータ部１６側に設けられてもよい。ガイド翼１３２も回路基板５３側に設けられてもよい。エア流路７１３および下エア流路７３は、翼により空間が仕切られるものには限定されない。例えば、本体カバー１２を厚くし、縦方向に本体カバー１２を貫通する孔がエア流路として設けられてもよい。下エア流路７３に関しても同様である。また、ガイド翼１２２，１３２として、厚さが一定の直線状の板が設けられてもよい。
【００４３】
モータカバー３２１は、樹脂により形成されていても良い。また、金属カバーの外周を樹脂により部分的に被覆していてもよい。モータカバー３２１の外周の一部分を樹脂により形成することで、ガイド翼１２２および円筒部１２１と一体成型することもできる。
【００４４】
送風装置１，１ａにて送風される気体は、空気には限定されない。したがって、一般的には、「エア流路７１３」および「下エア流路７３」は、「気体流路７１３」および「下気体流路７３」とそれぞれ表現することができる。また、送風装置１，１ａの用途は掃除機には限定されず、気体を吸引または送出し、かつ、高い静圧が求められる装置に適している。
【００４５】
上記実施形態および各変形例における構成は、相互に矛盾しない限り適宜組み合わされてよい。
【産業上の利用可能性】
【００４６】
本発明に係る送風装置は、掃除機の送風装置に特に適しているが、送風装置は他の装置にも利用可能である。特に、気体を高い静圧にて吸引または送出することが求められる装置に適している。
【符号の説明】
【００４７】
１，１ａ    送風装置
８    掃除機
１１    上カバー
１２    本体カバー
１５ａ    上インペラ
１５ｂ    下インペラ
１６    モータ部
１７    中間部材
３１    回転部
７１    筒状空間
７２    仮想延長線
７３    下エア流路（下気体流路）
８１    吸引管
１１３    吸気口
１３１    下環状部
１５４    （翼の）外縁部
１７１    環状部
１７４    ガイド溝
１７５    送気孔
３２１    モータカバー（金属カバー）
３２４    回路基板
７１１    第１筒状空間
７１２    第２筒状空間
７１３    エア流路（気体流路）
７１４    流路入口
７１５    流路出口
Ｊ１    中心軸
【図１】
2015034514.tif 000003
【図２】
2015034514.tif 000004
【図３】
2015034514.tif 000005
【図４．Ａ】
2015034514.tif 000006
【図４．Ｂ】
2015034514.tif 000007
【図５．Ａ】
2015034514.tif 000008
【図５．Ｂ】
2015034514.tif 000009
【図６．Ａ】
2015034514.tif 000010
【図６．Ｂ】
2015034514.tif 000011
【図７】
2015034514.tif 000012
【図８】
2015034514.tif 000013
【図９】
2015034514.tif 000014
【図１０．Ａ】
2015034514.tif 000015
【図１０．Ｂ】
2015034514.tif 000016
【図１１】
2015034514.tif 000017